(57)【要約】【課題】連結状態にある連結印を容易に分離することができる連結印を提供する。【解決手段】印面２を有する直方体形状の印判本体１と、印面と直交して向かい合う一対の面の表側の表面１ａに突出して取り付けられた結合片３と、この結合片３を形成した面の裏側の表面１ｂに形成された係合溝４を有し、前記結合片３と他の印判本体にある係合溝４とを連結自在とした連結印であって、前記結合片３は、前記係合溝４に係止可能な鉤状部３ｃと、前記印判本体１の側面に設けられ前記鉤状部３ｃを摺動させる押圧片部３ａと、この押圧片部３ａを前記印判本体１の側面に向けて弾発する弾発部材６を備えている構造とした。【選択図】図４
2020114629.tif 000002
【特許請求の範囲】
【請求項１】
印面を有する直方体形状の印判本体と、
印面と直交して向かい合う一対の面の表側の表面に突出して取り付けられた結合片と、この結合片を形成した面の裏側の表面に形成された係合溝を有し、
前記結合片と他の印判本体にある係合溝とを連結自在とした連結印であって、
前記結合片は、前記係合溝に係止可能な鉤状部と、前記印判本体の側面に設けられ前記鉤状部を摺動させる押圧片部と、この押圧片部を前記印判本体の側面に向けて弾発する弾発部材を備えていることを特徴とする連結印。
【請求項２】
結合片を連結解除するように摺動させた場合に、係合溝と鉤状部の背面部とが当接する部分のいずれか一方または、両方に印判本体を引き離すように作用する傾斜面が形成されている請求項１に記載の連結印。
【発明の詳細な説明】
【技術分野】
【０００１】
本発明は、連結状態にある連結印を容易に分離することができる連結印に関するものである。
【背景技術】
【０００２】
従来から、複数個の印を連結し、まとめて押印できるようにした連結印が知られている。これらの印は、印面と直交して向かい合う一対の面の表側の表面に形成された結合片と、この結合片を形成した面の裏側の表面に形成された係合溝を嵌合することによって印判本体同士を連結する構造となっている（例えば、特許文献１を参照）。
【０００３】
しかしながら、前記結合片と係合溝との嵌合力が強く、また嵌合状態が精密で二つの印の間に指を引っ掛ける隙間もないため、両手で二つの印引き離すには強い力が必要で容易に分離できなかった。特に、板状の薄い印判を連結したものでは、印判を持つ面積が小さくて指先に力が入りにくく、連結を解除するのが困難であるという問題があった。また、分離するためにペンチやドライバを準備するのも面倒であった。
【０００４】
一方、特許文献２に示されるように、連結した印判本体同士を連結解除する解除機構を備えた連結印が提案されている。しかし、特許文献２に記載の解除機構は、ヒンジ部を有する押圧板を押圧部材により押し込んだときに、前記ヒンジ部が屈曲して突出する構造であるため、ヒンジ部の頂点が摩耗するおそれがあるという問題や、ヒンジ部の頂点の位置調整が不可能で設計変更が難しいという問題があった。
【先行技術文献】
【特許文献】
【０００５】
【特許文献１】特許第３６８６０００号公報
【特許文献２】特許第５６０２４９０号公報
【発明の概要】
【発明が解決しようとする課題】
【０００６】
本発明は上記のような従来の問題点を解決して、連結状態にある連結印を強い力を必要とせず、またペンチ等の他の道具を用いることなく容易に分離することができ、また摩耗等の発生もなく長期間安定して使用することができる連結印を提供することを目的とするものである。
【課題を解決するための手段】
【０００７】
上記課題を解決するためになされた本発明の連結印は、印面を有する直方体形状の印判本体と、
印面と直交して向かい合う一対の面の表側の表面に突出して取り付けられた結合片と、この結合片を形成した面の裏側の表面に形成された係合溝を有し、
前記結合片と他の印判本体にある係合溝とを連結自在とした連結印であって、
前記結合片は、前記係合溝に係止可能な鉤状部と、前記印判本体の側面に設けられ前記鉤状部を摺動させる押圧片部と、この押圧片部を前記印判本体の側面に向けて弾発する弾発部材を備えていることを特徴とするものであり、これを請求項１に係る発明とする。
【０００８】
好ましい実施形態によれば、結合片を連結解除するように摺動させた場合に、係合溝と鉤状部の背面部とが当接する部分のいずれか一方または、両方に印判本体を引き離すように作用する傾斜面が形成されているものが好ましく、これを請求項２に係る発明とする。
【発明の効果】
【０００９】
請求項１に係る発明では、印面を有する直方体形状の印判本体と、印面と直交して向かい合う一対の面の表側の表面に突出して取り付けられた結合片と、この結合片を形成した面の裏側の表面に形成された係合溝を有し、前記結合片と他の印判本体にある係合溝とを連結自在とした連結印であって、前記結合片は、前記係合溝に係止可能な鉤状部と、前記印判本体の側面に設けられ前記鉤状部を摺動させる押圧片部と、この押圧片部を前記印判本体の側面に向けて弾発する弾発部材を備えているものとしたので、前記結合片を中央側へ押し込めば鉤状部と係合溝の係止状態を解除でき、二つの印判本体を容易に分離することができる。
【００１０】
また、請求項２に係る発明では、結合片を連結解除するように摺動させた場合に、係合溝と鉤状部の背面部とが当接する部分のいずれか一方または、両方に印判本体を引き離すように作用する傾斜面が形成されているものとしたので、前記結合片を中央側へ押し込むと同時に、鉤状部の背面部と当接している係合溝の傾斜面が押し上げられ、この結果、他の印判本体が上側へ自動的に引き離されて隙間が生じることとなり、二つの印判本体をより容易に分離することができる。
【図面の簡単な説明】
【００１１】
【図１】本発明の実施の形態を示す正面図である。
【図２】本発明の実施の形態を示す斜視図である。
【図３】連結した状態を示す断面図である。
【図４】要部の拡大断面図である。
【図５】結合片を摺動させて押し込んだ状態を示す要部の拡大断面図である。
【図６】（ａ）はその他の結合片の平面図、（ｂ）は斜視図である。
【図７】その他の結合片を取り付けた状態を示す断面図である。
【図８】その他の実施の形態を示す要部の拡大断面図である。
【図９】図８で結合片を押し込んだ状態を示す要部の拡大断面図である。
【図１０】図９で結合片を更に押し込んだ状態を示す要部の拡大断面図である。
【発明を実施するための形態】
【００１２】
以下に、図面を参照しつつ本発明の好ましい実施の形態を示す。
図１は本発明の実施の形態を示す正面図、図２は斜視図である。また、図３は二つの印判を連結した状態を示す断面図、図４は要部の拡大断面図であり、図５は結合片を摺動させて押し込んだ状態を示す要部の拡大断面図である。更に、図６〜１０は、その他の実施の形態を示す断面図等である。
【００１３】
図において、１は直方体形状の印判本体、２は印判本体１の底面に位置する印面である。この印面２と直交して向かい合う一対の面の表側の表面１ａには、結合片３が突出するように取り付けられており、一方、この結合片３を形成した面の裏側の表面１ｂには係合溝４が形成されていて（図４を参照）、前記結合片３と係合溝４を連結することにより複数の印判本体１、１を連結可能な連結印を構成している。図中の５は、前記結合片３を印判本体１から突出させるための孔部である。
【００１４】
前記結合片３は、印判本体１の側面に露出する押圧片部３ａと、この押圧片部３ａの前方に立設した脚部３ｂと、この脚部３ｂの先端に形成した鉤状部３ｃから構成されており（図６を参照）、前記鉤状部３ｃを他の印判本体１の係合溝４に係止させることで二つの印判本体１、１を連結する構造となっている。ここで、印判本体１の側面とは、前記表側の表面１ａ及び、前記裏側の表面１ｂ以外の側面を指している。また、押圧片部３ａの先端側と内部補強体７との間には弾発部材６（図３のものではコイルバネ６ａ）が装着されており、前記鉤状部３ｃをコイルバネ６ａの弾発下において左右に摺動可能な構造となっている。
【００１５】
これにより、コイルバネ６ａの弾発力によって、結合片３は常時は印判本体１の側面に向けて弾発されるため、鉤状部３ｃは係合溝４に係止した状態を保持することとなる。一方、押圧片部３ａをコイルバネ６ａの弾発力に反して内側へ押し込むと、前記鉤状部３ｃの係止が外れて連結状態を解除できることとなる。
【００１６】
次に、二つの印判本体１、１が連結されている場合について説明する。
図４は連結状態を示す要部の拡大断面図、図５は結合片を摺動させて押し込んだ状態を示す要部の拡大断面図である。図４に示される状態では、結合片３の鉤状部３ｃは他の印判本体１にある係合溝４内へ挿入された状態にあり、また結合片３はコイルバネ６ａの弾発力によって外側（図面では右側）へ押された状態にある。従って、鉤状部３ｃが係合溝４の端部に係止して二つの印判本体１、１を確実に連結しており、またコイルバネ６ａに弾発されていて連結が外れるおそれもない。
【００１７】
次に、連結を解除する場合について説明する。
図５に示されるように、結合片３の押圧片部３ａを弾発力に反して内側（図面では左側）へ押し込むと、前記鉤状部３ｃが内側へ移動して係合溝４との係止を解除する。この状態で二つの印判本体１、１を引き離すと、鉤状部３ｃが係合溝４から抜けるため、二つの印判本体１、１を分離できることとなる。
【００１８】
なお、前記弾発部材６としては、図６に示されるように、板バネ６ｂを用いることもできる。この場合は、押圧片部３ａの前方に弓状に湾曲した板バネ６ｂが、先端部を内部補強体７と接するように設けられており、この結果、板バネ６ｂの撓み力によって結合片３を常時、印判本体１の側面に向けて弾発させた状態としている。
この板バネ６ｂを用いた場合は、図７に示されるように、板バネ６ｂの弾発力によって結合片３が常に印判本体１の側面に向けて弾発され、鉤状部３ｃは係合溝４に係止した状態を保持している。一方、押圧片部３ａを板バネ６ｂの弾発力に反して内側へ押し込むと、前記鉤状部３ｃの係止が外れて連結状態を解除できる点は、前記のコイルバネ６ａを用いた場合と同様である。
【００１９】
また前記係合溝４には、図８に示されるように、結合片３を連結解除するように摺動させた場合に、鉤状部３ｃの背面部と当接して印判本体１を引き離すように作用する傾斜面４ａを形成することが好ましい。図示のものでは、前記傾斜面４ａを直線状のものとしているが、曲線状であってもよいことは勿論である。
なお、前記傾斜面４ａは、前記係合溝４と当接する鉤状部３ｃの背面部に設けてもよいし、両方に設けてもよい。
【００２０】
この場合は、図８に示されるように、結合片３の鉤状部３ｃが他の印判本体１にある係合溝４内へ挿入され、また結合片３がコイルバネ６ａの弾発力によって外側（図面では右側）へ押された状態で二つの印判本体１、１が連結される点は、前述の図４の場合と同様である。
【００２１】
一方、連結を解除する場合は、図９に示されるように、結合片３の押圧片部３ａを弾発力に反して内側（図面では左側）へ押し込むと、前記鉤状部３ｃが内側へ移動して係合溝４との係止を解除した状態となる。更に、押圧片部３ａを内側へ押し込むと、図１０に示されるように、係合溝４の傾斜面４ａが前記鉤状部３ｃの背面部に沿って摺動しつつ上方へ向けて移動するので、他の印判本体１が上側へ自動的に引き離されて隙間（Ｓ）が生じることとなる。この結果、前記隙間（Ｓ）に指を掛けて二つの印判本体１、１を引き離せるので、容易に分離することができることとなる。
【００２２】
以上の説明からも明らかなように、本発明は印面を有する直方体形状の印判本体と、印面と直交して向かい合う一対の面の表側の表面に突出して取り付けられた結合片と、この結合片を形成した面の裏側の表面に形成された係合溝を有し、前記結合片と他の印判本体にある係合溝とを連結自在とした連結印であって、前記結合片は、前記係合溝に係止可能な鉤状部と、前記印判本体の側面に設けられ前記鉤状部を摺動させる押圧片部と、この押圧片部を前記印判本体の側面に向けて弾発する弾発部材を備えている構造としたので、前記結合片を中央側へ押し込めば鉤状部と係合溝の係止状態を解除でき、二つの印判本体を容易に分離することができる。
また、結合片を連結解除するように摺動させた場合に、係合溝と鉤状部の背面部とが当接する部分のいずれか一方または、両方に印判本体を引き離すように作用する傾斜面が形成されているものでは、係止状態の解除と同時に、二つの印判を引き離すことができるため、より容易に分離することができる。
【符号の説明】
【００２３】
１  印判本体
１ａ  表側の表面
１ｂ  裏側の表面
２  印面
３  結合片
３ａ  押圧片部
３ｂ  脚部
３ｃ  鉤状部
４  係合溝
４ａ  傾斜面
５  孔部
６  弾発部材
６ａ  コイルバネ
６ｂ  板バネ
７  内部補強体
Ｓ  隙間
【図１】
2020114629.tif 000003
【図２】
2020114629.tif 000004
【図３】
2020114629.tif 000005
【図４】
2020114629.tif 000006
【図５】
2020114629.tif 000007
【図６】
2020114629.tif 000008
【図７】
2020114629.tif 000009
【図８】
2020114629.tif 000010
【図９】
2020114629.tif 000011
【図１０】
2020114629.tif 000012